(57)【要約】【課題】本発明は、ユーザ機器の間欠受信状態の変更を動的に指示する方法を開示している。【解決手段】当該方法は、基地局が、所定条件に基づいて、前記ユーザ機器に適する好ましい間欠受信状態を決定し、ユーザ機器の間欠受信状態を変更する必要があると決定した場合、前記ユーザ機器の好ましい間欠受信状態を指示する情報が含まれている測定配置情報を、前記ユーザ機器へ送信するステップと、前記ユーザ機器が、受信された前記測定配置情報に応答してチャネルを測定し、前記基地局へ測定報告を送信した後、指示情報で指示されたモードに基づいて、自局の間欠受信状態を変更するステップと、を含む。また、本発明は、ユーザ機器の間欠受信状態の変更を動的に指示する装置も含む。【選択図】図５
2010050969.tif 000002
【特許請求の範囲】
【請求項１】
ユーザ機器の間欠受信状態の変更を動的に指示する方法であって、
基地局が、所定条件に基づいて、前記ユーザ機器に適する好ましい間欠受信状態を決定し、ユーザ機器の間欠受信状態を変更する必要があると決定した場合、前記ユーザ機器の好ましい間欠受信状態を指示する情報が含まれている測定配置情報を、前記ユーザ機器へ送信するステップと、
前記ユーザ機器が、受信された前記測定配置情報に応答してチャネルを測定し、前記基地局へ測定報告を送信した後、指示情報で指示されたモードに基づいて、自局の間欠受信状態を変更するステップと、
を含む方法。
【請求項２】
前記基地局が、ユーザ機器からの測定報告に基づいて、ユーザ機器がハンドオーバー条件を満たしたか否かを判断し、前記ユーザ機器が所定時間全体にわたってハンドオーバー条件を満たした場合、ターゲット基地局へハンドオーバー要求を送信するステップをさらに含む、請求項１に記載の方法。
【請求項３】
前記基地局が、前記ユーザ機器が他の基地局へハンドオーバーする必要がないと決定した場合、処理を実行しないステップをさらに含む、請求項１に記載の方法。
【請求項４】
ｎビット（ｎは自然数）でユーザ機器の２ｎ個の異なる好ましい間欠受信状態を表す、請求項１に記載の方法。
【請求項５】
前記好ましい間欠受信状態が、間欠受信状態および連続受信状態を含む、請求項４に記載の方法。
【請求項６】
前記好ましい間欠受信状態が、間欠受信状態、連続受信状態、長い間欠受信周期、および短い間欠受信周期を含む、請求項４に記載の方法。
【請求項７】
前記ユーザ機器の間欠受信状態の変更を起こすことができる前記所定条件が、ユーザ機器の現在所在セルのリンク品質、隣接セルのリンク品質、サービスタイプ、および／または、測定報告をトリガーするイベントタイプを含む、請求項１に記載の方法。
【請求項８】
前記基地局が、ユーザ機器の測定報告送信をトリガーするイベントタイプに基づいて、前記ユーザ機器に対し、好ましい間欠受信状態に変更するよう指示する、請求項７に記載の方法。
【請求項９】
前記基地局が、ユーザ機器で測定されたリンク品質、または受信された測定結果に基づいて、前記ユーザ機器に対し、好ましい間欠受信状態に変更するよう指示する、請求項１に記載の方法。
【請求項１０】
前記基地局が、進行中のサービスタイプに基づいて、前記ユーザ機器に対し、好ましい間欠受信状態に変更するよう指示する、請求項１に記載の方法。
【請求項１１】
前記基地局が前記ユーザ機器の好ましい間欠受信状態を格納するステップをさらに含む、請求項１に記載の方法。
【請求項１２】
ユーザ機器の間欠受信状態の変更を動的に指示する装置であって、
基地局側に配置されているものと、ユーザ機器側に配置されているものとを含み、
基地局側において、
所定の間欠受信状態決定モードに従って、ユーザ機器のあるべき好ましい間欠受信状態を決定する間欠受信状態判定手段と、
ユーザ機器のあるべき好ましい間欠受信状態を、第１送受信手段を介して、ユーザ機器側に送信する間欠受信状態指示手段と、
相応のユーザ機器に対応する情報を格納する間欠受信状態レジスタと、
ユーザ機器側へ情報を送信し、ユーザ機器側から情報を受信する第１送受信手段とが配置されており、
ユーザ機器側において、
第２送受信手段から受信された情報に、前記ユーザ機器の好ましい間欠受信状態を指示する情報が含まれているか否かを検出する間欠受信状態指示検出手段と、
前記ユーザ機器の好ましい間欠受信状態を指示する情報に基づいて、前記ユーザ機器の間欠受信状態を更新する間欠受信状態更新手段と、
基地局側へ情報を送信し、基地局側から情報を受信する第２送受信手段とが配置されている装置。
【請求項１３】
前記間欠受信状態判定手段が、前記ユーザ機器のあるべき好ましい間欠受信状態の判断結果と、間欠受信状態レジスタに格納されているユーザ機器の間欠受信状態とを比較し、判断結果が、間欠受信状態レジスタに格納されている情報と一致しない場合、前記判断結果で間欠受信状態レジスタを更新する、請求項１２に記載の装置。
【請求項１４】
ユーザ機器の間欠受信状態の変更を動的に指示する方法であって、
基地局が、所定状況に基づいて、ユーザ機器に対し測定報告にて前記ユーザ機器の好ましい間欠受信状態を指示するよう命令する情報が含まれている測定配置情報を、前記ユーザ機器へ送信するステップと、
前記ユーザ機器が、受信された前記測定配置情報に応答してチャネルを測定し、所定条件に基づいて、自局の採用すべき好ましい間欠受信状態を決定し、前記ユーザ機器の好ましい間欠受信状態を指示する情報が含まれている測定報告を前記基地局へ送信し、前記好ましい間欠受信状態に更新するステップと、
前記基地局が、受信された前記好ましい間欠受信状態を指示する情報に基づいて、前記間欠受信状態レジスタに格納されている前記ユーザ機器に関する間欠受信状態の記録を更新するステップと、
を含む方法。
【請求項１５】
前記基地局が、ユーザ機器からの測定報告に基づいて、ユーザ機器がハンドオーバー条件を満たしたか否かを判断し、前記ユーザ機器が所定時間全体にわたってハンドオーバー条件を満たした場合、ターゲット基地局へハンドオーバー要求を送信するステップをさらに含む、請求項１４に記載の方法。
【請求項１６】
前記ユーザ機器が、その後の測定過程において、自局の採用すべき間欠受信周期を決定するステップをさらに含む、請求項１４に記載の方法。
【請求項１７】
前記好ましい間欠受信状態を指示する情報が、前記基地局へ送信される各測定報告に含まれて前記基地局へ送信される、請求項１４に記載の方法。
【請求項１８】
前記ユーザ機器の間欠受信状態が変化する場合のみに、前記好ましい間欠受信状態を指示する情報が、前記基地局へ送信される測定報告に含まれる、請求項１４に記載の方法。
【請求項１９】
ｎビット（ｎは自然数）でユーザ機器の２ｎ個の異なる好ましい間欠受信状態を表す、請求項１４に記載の方法。
【請求項２０】
前記好ましい間欠受信状態が、間欠受信状態および連続受信状態を含む、請求項１９に記載の方法。
【請求項２１】
前記好ましい間欠受信状態が、連続受信状態、長い間欠受信周期、および短い間欠受信周期を含む、請求項１９に記載の方法。
【請求項２２】
前記ユーザ機器の間欠受信状態の変更を起こすことができる前記所定条件が、ユーザ機器の現在所在セルのリンク品質、隣接セルのリンク品質、サービスタイプ、および／または、測定報告をトリガーするイベントタイプを含む、請求項１４に記載の方法。
【請求項２３】
ユーザ機器の間欠受信状態の変更を動的に指示する装置であって、
基地局側に配置されているものと、ユーザ機器側に配置されているものとを含み、
基地局側において、
ユーザ機器に対し、前記ユーザ機器に関する好ましい間欠受信状態の情報を報告するよう通知する間欠受信状態指示通知手段と、
前記ユーザ機器から受信された前記好ましい間欠受信状態の情報に基づいて、間欠受信状態レジスタに格納されている前記ユーザ機器の間欠受信状態の情報を更新する間欠受信状態更新手段と、
相応のユーザ機器に対応する情報を格納する間欠受信状態レジスタと、
ユーザ機器側へ情報を送信し、ユーザ機器側から情報を受信する第１送受信手段とが配置されており、
ユーザ機器側において、
間欠受信状態決定モードに従って、前記ユーザ機器のあるべき好ましい間欠受信状態を決定し、決定結果に基づいて、前記ユーザ機器の間欠受信状態を調整する間欠受信状態判定調整手段と、
第２送受信手段を介して、前記ユーザ機器の前記好ましい間欠受信状態を前記基地局に送信する間欠受信状態指示手段と、
基地局側へ情報を送信し、基地局側から情報を受信する第２送受信手段とが配置されている装置。
【請求項２４】
前記間欠受信状態判定調整手段が、前記ユーザ機器のあるべき好ましい間欠受信状態の判断結果と、ユーザ機器の現在の間欠受信状態とを比較し、判断結果が現在の間欠受信状態と一致しない場合、前記ユーザ機器を調整して自局の間欠受信状態を変更する、請求項２３に記載の装置。
【請求項２５】
ユーザ機器の間欠受信状態の変更を動的に指示する方法であって、
基地局が、所定状況に基づいて、ユーザ機器へ測定配置情報を送信するステップと、
前記ユーザ機器が、受信された前記測定配置情報に応答してチャネルを測定し、前記基地局へ測定結果を送信し、測定結果、および、前記基地局とユーザ機器側にそれぞれ予め格納された、互いに合致する間欠受信状態決定モードに基づいて、前記ユーザ機器のあるべき好ましい間欠受信状態を決定するステップと、
前記基地局が、受信された前記測定結果、および予め格納された前記間欠受信状態決定モードに基づいて、前記ユーザ機器の現在の間欠受信状態を決定し、前記ユーザ機器の現在の間欠受信状態で、間欠受信状態レジスタに格納されている前記ユーザ機器に関する間欠受信状態の情報を更新するステップと、
を含む方法。
【請求項２６】
前記基地局が、ユーザ機器からの測定報告に基づいて、ユーザ機器がハンドオーバー条件を満たしたか否かを判断し、前記ユーザ機器が所定時間全体にわたってハンドオーバー条件を満たした場合、ターゲット基地局へハンドオーバー要求を送信するステップをさらに含む、請求項２５に記載の方法。
【請求項２７】
前記間欠受信状態決定モードに、測定結果と好ましい間欠受信状態との対応関係が記載されている、請求項２５に記載の方法。
【請求項２８】
前記ユーザ機器が、検出された現在所在セルのリンク品質、隣接セルのリンク品質、サービスタイプ、および／または、測定報告をトリガーするイベントタイプに基づいて、前記ユーザ機器のあるべき好ましい間欠受信状態を決定する、請求項２７に記載の方法。
【請求項２９】
前記基地局および／またはユーザ機器が、現在サービングセルのリンク品質が第１所定閾値Ｎ１より大きいことを検出した場合、前記ユーザ機器が長い間欠受信周期にあるべきと決定する、請求項７、２２または２８に記載の方法。
【請求項３０】
前記ユーザ機器が、現在サービングセルのリンク品質が第２所定閾値Ｎ２より小さく且つ第３所定閾値Ｎ３より大きいことを検出した場合、前記ユーザ機器が短い間欠受信周期にあるべきと決定し、前記ユーザ機器が、現在サービングセルのリンク品質が所定閾値Ｎ３より小さいことを検出した場合、前記ユーザ機器がチャネルを継続的に監視すべきと判断し、ここで、Ｎ１＞Ｎ２≧Ｎ３である、請求項２９に記載の方法。
【請求項３１】
前記基地局および／またはユーザ機器が、イベントタイプに基づいて好ましい間欠受信状態を決定する、請求項２９に記載の方法。
【請求項３２】
現在サービングセルのリンク品質が所定閾値より大きい場合、前記基地局および／またはユーザ機器が間欠受信モードを選択する、請求項３１に記載の方法。
【請求項３３】
現在サービングセルのリンク品質が所定閾値より大きい場合、または、隣接周波数セルのリンク品質とあるオフセットとの和が現在サービングセルのリンク品質より大きい場合、前記ユーザ機器が、短い間欠受信周期または連続受信状態を選択する、請求項３１に記載の方法。
【請求項３４】
前記好ましい間欠受信状態が、連続受信状態、長い間欠受信周期、および短い間欠受信周期を含む、請求項２５に記載の方法。
【請求項３５】
ユーザ機器の間欠受信状態の変更を動的に指示する装置であって、
基地局側に配置されているものと、ユーザ機器側に配置されているものとを含み、
基地局側において、
第１送受信手段を介して、ユーザ機器から送信された情報を受信し、前記基地局とユーザ機器側にそれぞれ予め格納された、互いに合致する間欠受信状態決定モードに基づいて、前記ユーザ機器のあるべき好ましい間欠受信状態を決定し、当該決定結果を間欠受信状態レジスタの前記ユーザ機器に対応する情報に格納する間欠受信状態判定手段と、
相応のユーザ機器に対応する情報を格納する間欠受信状態レジスタと、
ユーザ機器側へ情報を送信し、ユーザ機器側から情報を受信する第１送受信手段とが配置されており、
ユーザ機器側において、
測定結果、および、前記基地局とユーザ機器側にそれぞれ予め格納された、互いに合致する間欠受信状態決定モードに基づいて、前記ユーザ機器のあるべき好ましい間欠受信状態を決定し、第２送受信手段を介して、前記基地局へ測定報告を送信する間欠受信状態判定調整手段と、
基地局側へ情報を送信し、基地局側から情報を受信する第２送受信手段とが配置されている装置。
【請求項３６】
前記間欠受信状態判定調整手段が、前記決定結果に基づいて、前記ユーザ機器自身の間欠受信状態を調整する、請求項３５に記載の装置。
【発明の詳細な説明】
【技術分野】
【０００１】
本発明は、ユーザ機器の間欠受信状態の変更を動的に指示する方法およびその装置に関し、特に、移動通信システムにおけるユーザ機器が接続状態である場合、ユーザ機器の間欠受信状態および関連パラメータを動的に調整できる方法およびその装置に関する。
【背景技術】
【０００２】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、移動通信分野の重要な組織として、第３世代移動通信技術（３Ｇ：Ｔｈｅ  Ｔｈｉｒｄ  Ｇｅｎｅｒａｔｉｏｎ）の標準化の進展を大幅に推進しており、広帯域符号分割多元接続（ＷＣＤＭＡ：Ｗｉｄｅ  Ｃｏｄｅ  Ｄｉｖｉｓｉｏｎ  Ｍｕｌｔｉｐｌｅ  Ａｃｃｅｓｓ）、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）および高速アップリンクパケットアクセス（ＨＳＵＰＡ：Ｈｉｇｈ  Ｓｐｅｅｄ  Ｕｐｌｉｎｋ  Ｐａｃｋｅｔ  Ａｃｃｅｓｓ）などが含まれる一連の通信システム規格を制定した。広帯域アクセス技術の挑戦に対処し、益々増加している新たなサービスの需要を満たすために、３ＧＰＰは、２００４年末から３Ｇ−ＬＴＥ（Ｌｏｎｇ  Ｔｅｒｍ  Ｅｖｏｌｕｔｉｏｎ）技術の標準化作業を開始したことで、スペクトル効率を更に向上させ、セル端ユーザの性能を改善し、システム遅延を低下させ、高速移動ユーザに更なる高速のアクセスサービスを提供することなどを図る。
【０００３】
通信技術の移動性、広帯域化への発展に従って、移動端末の省エネルギー問題が広く注目されている。多くの通信標準化組織は、関連規格を制定したとき、省エネルギー問題を考慮に入れた。特に、未来の移動通信システムのアクセスネットワークはすべてＩＰ技術に基づいてデータ伝送を行うことになるが、ＩＰパケットのバースト特性、およびユーザ同士における伝送チャネルの共有特性により、ユーザ機器に到着したデータが非連続になる。従って、ユーザ機器（ＵＥ：ｕｓｅｒ  ｅｑｕｉｐｍｅｎｔ）のエネルギー消費を如何に節約するかが一層重要になる。
【０００４】
移動通信システムにおいて、ユーザ機器と基地局との情報の遣り取りは両方のエネルギーの供給を基にするが、大部分の移動端末、例えば携帯電話や、ノートパソコン、個人デジタルアシスタントなどのような、電池により給電される移動端末は、エネルギーの蓄積が有限である。従って、如何にエネルギー消費を低減させてユーザ機器の待機時間およびサービス時間を延長するかは、移動通信システムの設計において考慮すべき肝心な問題の１つである。
【０００５】
ユーザ機器のエネルギー消費を低減させるために、３ＧＰＰの規格において、間欠受信（ＤＲＸ：Ｄｉｓｃｏｎｔｉｎｕｏｕｓ  Ｒｅｃｅｐｔｉｏｎ）モードを採用している。具体的に、間欠受信モードは、ユーザ機器が基地局と約束した特定の時間帯内でチャネルを監視して、ダウンリンクサービスを受信するようにすることで、無駄なチャネル監視時間を減少させて、ユーザ機器のエネルギー消費を低減させるものである。このようなＤＲＸモードは、ＬＴＥにおいても同様に採用されている。間欠受信モードについて、３ＧＰＰの従前の規格に比べると、その応用の状態、チャネルおよびトリガー条件などはやや異なっているが、ユーザ機器のＤＲＸモードでの処理フローは同じであり、すべて幾つかの特定のパラメータで表すことができる。
【０００６】
図１は、ユーザ機器の間欠受信モードでの処理フローを示している。図１に示すように、ＤＲＸモードにおいて、ユーザ機器（ＵＥ）は、交替的に「アクティブ期間」（Ａｃｔｉｖｅ  Ｐｅｒｉｏｄ）と「スリープ期間」（Ｓｌｅｅｐ  Ｐｅｒｉｏｄ）にある。２回の連続するアクティブ期間の開始点（Ａｃｔｉｖｅ  ｐｅｒｉｏｄ  ｓｔａｒｔｉｎｇ  ｐｏｉｎｔ）間の時間間隔は、１つの間欠受信周期（ＤＲＸ  ｃｙｃｌｅ）と呼ばれる。アクティブ期間において、ＵＥは、その受信機（Ｒｘ：Ｒｅｃｅｉｖｅｒ）をオンして、制御チャネルの情報を監視し、ダウンリンクデータを受信する。スリープ期間において、ＵＥが制御チャネルを監視する必要がなくなるため、省電力の目的を達する。ＬＴＥについて全体的に説明した３ＧＰＰ  ＴＳ  ３６．３００規格では、ユーザ機器が無線リソース制御接続（ＲＲＣ＿ＣＯＮＮＥＣＴＥＤ）状態にあるＤＲＸについて説明しており、以下の定義を与えた。
【０００７】
・オン継続時間（ｏｎ−ｄｕｒａｔｉｏｎ）：ＵＥがＤＲＸから起床した後物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の受信を待っている時間であり、単位が伝送時間間隔（ＴＴＩ：Ｔｒａｎｓｍｉｓｓｉｏｎ  Ｔｉｍｅ  Ｉｎｔｅｒｖａｌ）である。ＵＥは、ＤＲＸスリープ状態から起床するとき、オン継続時間に入り、この時間内でＰＤＣＣＨの復号化に成功した場合、アウェイク（Ａｗａｋｅ）状態を保持し、その中の非アクティブタイマー（Ｉｎａｃｔｉｖｉｔｙ  Ｔｉｍｅｒ）を起動し、この時間内でＰＤＣＣＨの復号化に成功しなかった場合、ＤＲＸの配置で許容される状況でＤＲＸスリープ状態に入る。
【０００８】
・非アクティブタイマー（ｉｎａｃｔｉｖｉｔｙ  ｔｉｍｅｒ）：ＵＥが前回ＰＤＣＣＨの復号化に成功してからＰＤＣＣＨの復号化の再度の成功を待っている時間であり、単位がＴＴＩである。ＵＥは、ＰＤＣＣＨの復号化に成功したら、アウェイク状態を保持して、非アクティブタイマーを再度起動する。ＵＥは、ある媒体アクセス制御（ＭＡＣ：Ｍｅｄｉｕｍ  Ａｃｃｅｓｓ  Ｃｏｎｔｒｏｌ）ヘッダまたは制御メッセージによって、間欠受信状態に再び入るよう通知され、且つＭＡＣペイロードにおいてＤＲＸ周期が明確に指示されるまで、アウェイク状態を保持する。或いは、当該ＵＥは、非アクティブタイマーが終了したとき、所定のＤＲＸ周期に基づいて、自動的に間欠受信状態に再び入る。
【０００９】
・アクティブ時間（ａｃｔｉｖｅ  ｔｉｍｅ）：ＵＥがアウェイク状態にある時間であり、１つのＤＲＸ周期内のオン継続時間と、非アクティブタイマーの終了前にユーザが連続受信を行う時間とを含む。当該アクティブ時間は、最小値がオン継続時間に等しく、最大値が制限されない。
【００１０】
上記定義されたパラメータのうち、オン継続時間および非アクティブタイマーは、固定値であり、ｅＮＢ（Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ  ＮｏｄｅＢ）からＵＥへ通知することで設定され、アクティブ時間は、スケジューリングポリシー、およびユーザがＰＤＣＣＨの復号化に成功するか否かによって決まる。
【００１１】
以上のＤＲＸモードに対する説明に基づき、間欠受信過程において、ＵＥの省エネルギー量の多少は、そのアクティブ期間またはスリープ期間の長短によって決まる。ＤＲＸ周期が固定された条件で、アクティブ時間が短いほど、ユーザのチャネル監視およびデータ受信が短い時間でできることを意味し、これにより、スリープ期間が延長されて、さらなる省電力効果が達成される。同じアクティブ期間の条件で、長いＤＲＸ周期によっても、同様にスリープ期間を延長して、電気エネルギーを更に節約することができる。しかし、ユーザのスリープ期間が長すぎると、システム性能に悪影響を与え、特にＵＥのハンドオーバー（Ｈａｎｄｏｖｅｒ）過程において、ＵＥがスリープ期間にあることで、現在サービスｅＮＢ（基地局）からのハンドオーバー命令（Ｈａｎｄｏｖｅｒ  Ｃｏｍｍａｎｄ）メッセージを適時に受信できず、ハンドオーバー遅延時間を増加させて、ＵＥのサービス品質を低下させる恐れがある。
【００１２】
図２は、ＵＥがＤＲＸモードにある場合、ハンドオーバーへの影響を生じさせることを示すフローチャートである。図２に示すように、ＵＥは、ＤＲＸモードにあり、図１の規則に従って間隔的に制御チャネルを監視して、データを受信する。現在、ＵＥとの接続が確立され且つ当該ＵＥへサービスを提供するｅＮＢが、ソースｅＮＢ（Ｓｏｕｒｃｅ  ｅＮＢ）と呼ばれ、ＵＥとの接続を確立し且つソースｅＮＢから当該ＵＥへ提供されるサービスを継続しようとするｅＮＢが、ターゲットｅＮＢ（Ｔａｒｇｅｔ  ｅＮＢ）と呼ばれる。
【００１３】
一般に、ハンドオーバー過程はユーザの測定報告によりトリガーされる。まず、ソースｅＮＢは、測定配置に関するメッセージ（ＭＣ：Ｍｅａｓｕｒｅｍｅｎｔ  Ｃｏｎｆｉｇｕｒａｔｉｏｎ）をＵＥへ送信する（ステップＳ２０１）。例えば、ＬＴＥでは、無線リソース制御接続再配置（ＲＲＣ  ＣＯＮＮＥＣＴＩＯＮ  ＲＥＣＯＮＦＩＧＵＲＡＴＩＯＮ）メッセージを介して伝送することができる（非特許文献１参照）。ここで、ＭＣには、測定命令、測定タイプ、測定ターゲット、測定量、測定報告準則、および測定隙間などを含む関連情報が定義されている。
【００１４】
ＵＥは、当該測定配置情報を受信した後、測定配置情報の要求に従って、チャネルを測定し、測定報告（ＭＲ：Ｍｅａｓｕｒｅｍｅｎｔ  Ｒｅｐｏｒｔ）を介して測定結果をｅＮＢに報告する（ステップＳ２０２、Ｓ２０４）。当該測定報告は、周期的な測定報告であってもよく、イベントによりトリガーされるものであってもよい。例えば、ソースｅＮＢからの基準信号受信電力（ＲＳＲＰ：Ｒｅｆｅｒｅｎｃｅ  Ｓｉｇｎａｌ  Ｒｅｃｅｉｖｅｄ  Ｐｏｗｅｒ）がある閾値より小さいことを検出したなどの場合に、当該測定報告をトリガーする。
【００１５】
ソースｅＮＢは、受信されたＭＲに基づいて、ハンドオーバー条件が満たされたか否かを判断する。ハンドオーバー条件が満たされない場合、ソースｅＮＢは如何なる処理も行わない（ステップＳ２０３）。ハンドオーバー条件が満たされた場合、ソースｅＮＢは、測定報告および無線リソース管理の関連情報に基づいて、ターゲットｅＮＢを決定し（ステップＳ２０５）、当該ターゲットｅＮＢへハンドオーバー要求（ＨＯ  Ｒｅｑｕｅｓｔ）メッセージ（ステップＳ２０６）を送信し、その後、ハンドオーバー準備に必要な情報をターゲットｅＮＢに伝送する。
【００１６】
ターゲットｅＮＢは、ハンドオーバー要求メッセージを受信した後、アクセス制御を行い（ステップＳ２０７）、当該ハンドオーバー要求を受け付けられると判断したとき、ソースｅＮＢへハンドオーバー要求応答（ＨＯ  Ｒｅｑｕｅｓｔ  ＡＣＫ）メッセージを送信する（ステップＳ２０８）。
【００１７】
最後に、ソースｅＮＢはＵＥへハンドオーバー命令（ＨＯ  Ｃｏｍｍａｎｄ）を送信する（ステップＳ２０９）。ＵＥは、当該ハンドオーバー命令を受信した後、ターゲットｅＮＢとの同期を開始し、ランダムアクセスチャネル（ＲＡＣＨ：Ｒａｎｄｏｍ  Ａｃｃｅｓｓ  Ｃｈａｎｎｅｌ）を介して当該ターゲットｅＮＢとの接続を確立する。
【００１８】
間欠受信モードでのＵＥにとって、ソースｅＮＢがハンドオーバー命令を送信する時点にＵＥがスリープ期間にあるのであれば、ソースｅＮＢは、ＵＥが再度起床するまで待つ必要があり、つまり次のアクティブ期間に入ってはじめてハンドオーバー命令を送信することができる。従って、当該ハンドオーバー命令は遅延することになる。これにより、リンク品質の継続的な低下、ひいてはリンクの中断が発生する可能性があり、特に音声などのような遅延時間に敏感なサービスについて、そのサービスの連続性が破壊され、サービス品質の大幅低下が引き起こされてしまう。
【００１９】
上記の分析からわかるように、ＵＥの間欠受信とハンドオーバー遅延時間とは、相互に制約する２つの要素である。電気エネルギーの節減のために、ＵＥがスリープ状態にある時間は更に長くなることが望ましい一方、ＵＥが適時に起床してハンドオーバー命令を受信できることも望ましい。ＵＥがソースｅＮＢのハンドオーバー命令の送信時点を正確に予知することが難しいので、一般に、ＵＥが予め起床してハンドオーバー命令を待つことが必要になる。これにより、無駄なエネルギー消費を引き起こす。
【００２０】
上記の問題を解消するために、従来技術では、ＵＥがチャネルを連続的に監視し、または所定の更に短いＤＲＸ周期に従って間欠受信を行うようにすることにより、ハンドオーバー命令の遅延時間を減少させる方法が提案されている（非特許文献２参照）。具体的には、当該方法は下記の２つの方式により実現される。１）ＵＥは、毎回測定報告を送信した後に、上記の処理を行う。２）ＵＥは、ある特定のイベントが発生した後に、上記処理を行うが、このような方式では、ネットワークにて当該特定のイベントの配置および定義が必要である。
【００２１】
これに類似し、従来技術では、ＵＥの電気エネルギー消費を低減させるために、ＵＥが測定報告を送信した後、チャネルを連続的に監視し、または短いＤＲＸ周期に入るようにする方法も提案されている（非特許文献３を参照）。また、毎回の測定報告もハンドオーバーをトリガーすることになるわけではないため、当該方法では、更に、ソースｅＮＢが、ハンドオーバーがないことを決定した場合、すぐにＵＥに対し、無駄なチャネル連続監視を停止し、または前の長い周期のＤＲＸを継続するよう通知すべきであることが提案されている。上記方法のいずれも、ユーザがＤＲＸモードを中止しまたは短いＤＲＸ周期を採用するようにすることにより、エネルギー消費とハンドオーバー遅延時間性能との折衷を実現するものである。しかし、このような、ＵＥによりＤＲＸモードを調整する方式は、ネットワークにてＵＥの状態を把握することに不利である。なお、ソースｅＮＢがユーザに対しハンドオーバーがない旨を指示する処理も、無駄なオーバヘッドをもたらす。特に、大部分の測定報告がすぐにハンドオーバーをトリガーするものではない場合（例えば、負荷分散や輻輳制御を目的とする測定報告）、これら方法の効率は大いに低減することになる。
【００２２】
現在、３ＧＰＰ  ＬＴＥの標準化作業において、測定報告をトリガーできる幾つかのイベントタイプ（Ｅｖｅｎｔ  Ｔｙｐｅ）が決定されている。そのうち、周波数内（ｉｎｔｒａ−ｆｒｅｑｕｅｎｃｙ）測定報告のトリガーイベントが３つある。
【００２３】
１．現在サービングセルのリンク品質（例えばＲＳＲＰ）がある閾値より高い
２．現在サービングセルのリンク品質がある閾値より低い
３．隣接同一周波数セルのリンク品質とあるオフセットとの和が現在サービングセルのリンク品質より大きい；
周波数間（ｉｎｔｅｒ−ｆｒｅｑｕｅｎｃｙ）測定報告のトリガーイベントが３つある
４．隣接周波数セルのリンク品質がある閾値より高い
５．現在サービングセルのリンク品質がある閾値より低く且つ隣接サービングセルのリンク品質が他のある閾値より高い
６．隣接周波数セルのリンク品質とあるオフセットとの和が現在サービングセルのリンク品質より大きい；
異なる無線アクセス技術間（ｉｎｔｅｒ−ＲＡＴ：ｉｎｔｅｒ−Ｒａｄｉｏ  Ａｃｃｅｓｓ  Ｔｅｃｈｎｏｌｏｇｙ）測定報告のトリガーイベントが２つある
７．異なるＲＡＴのセルのリンク品質がある閾値より高い
８．現在サービングセルのリンク品質がある閾値より低く且つ異なるＲＡＴのセルのリンク品質が他のある閾値より高い
【先行技術文献】
【非特許文献】
【００２４】
【非特許文献１】３ＧＰＰ  ＴＳ  ３６．３３１，Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  Ｒａｄｉｏ  Ｒｅｓｏｕｒｃｅ  Ｃｏｎｔｒｏｌ，  Ｒｅｌ８
【非特許文献２】３ＧＰＰ  Ｒ２−０７００４３，Ｈａｎｄｏｖｅｒ  Ｐｒｏｃｅｄｕｒｅ  ｆｏｒ  ＤＲＸ  Ｏｐｅｒａｔｉｏｎ  ｉｎ  ＬＴＥ＿ＡＣＴＩＶＥ，Ｅｒｉｃｓｓｏｎ
【非特許文献３】３ＧＰＰ  Ｒ２−０７１９５６，ＤＲＸ  Ｏｐｅｒａｔｉｏｎ  Ｄｕｒｉｎｇ  Ｈａｎｄｏｖｅｒ，Ｒｅｓｅａｒｃｈ  ｉｎ  Ｍｏｔｉｏｎ  Ｌｉｍｉｔｅｄ
【発明の概要】
【発明が解決しようとする課題】
【００２５】
これら異なるタイプの測定報告イベントからわかるように、若干の測定報告において（例えば、イベント１によりトリガーされる周波数内測定報告）、ユーザの現在サービングセルのリンク状況が非常に良く、ハンドオーバーする必要がない。リンク状況が悪くなってハンドオーバーが発生する可能性がある場合でも（例えば、イベント２やイベント３によりトリガーされる周波数内測定報告）、通常、ＵＥは、当該イベントがトリガーされた後にチャネル測定を一定時間（即ち、ヒステリシス時間）継続する必要があり、この時間内でリンク品質の低下をすべて検出してはじめてハンドオーバー要求を開始する。このように、ヒステリシス時間内においても、ＵＥがハンドオーバー命令を受信したことにならない。従って、これら測定報告の後すぐに、ＵＥがチャネルを継続的に監視しまたは短いＤＲＸ周期に入るようにすることは、無駄なエネルギー消費、またはハンドオーバーのない旨の指示を頻繁に送信することによるオーバヘッドのみをもたらす。なお、ＵＥのサービスタイプもＤＲＸの状態変更に影響がある。例えば、遅延時間に敏感な音声サービスについて、ＵＥがチャネルを長い時間監視するようにすることにより、ハンドオーバー命令の適時性を確保することができ、遅延時間に敏感でないデータサービスについて、ＵＥがそのＤＲＸモードを保持するようにすることにより、省電力の目的を達することができる。
【００２６】
上記の問題に鑑みて、ユーザ側とネットワーク側の両方がＵＥの間欠受信状態の変更を了解し、ハンドオーバー発生の可能性、測定報告のタイプおよび／またはサービスタイプに基づいて、ＵＥの間欠受信モードを動的に調整することができるように、ＤＲＸモードを動的に調整する方法が必要になる。このように、ユーザは、そのサービス品質の確保を前提にして、無駄なチャネル監視によるエネルギー消費をできるだけ減少させることにより、そのサービス時間および待機時間を延長する。
【００２７】
本発明は、ユーザ機器の間欠受信状態の変更を動的に指示する方法およびその装置を提供することを目的とする。本発明に係る方法およびその装置は、ネットワークまたはユーザ機器によりユーザ機器の間欠受信状態を指示し、或いは、ネットワークとユーザ機器が予め設定したＤＲＸ状態に従ってモードを決定することができるため、ネットワークがユーザ機器の間欠受信状態の動的な変更を了解することができ、ネットワークがユーザ機器の間欠受信状態を制御しやすくなる。これにより、ユーザ機器のエネルギー消費を減少させる。
【課題を解決するための手段】
【００２８】
本発明の１つの態様によれば、ユーザ機器の間欠受信状態の変更を動的に指示する方法が提供されている。当該方法は、基地局が、所定条件に基づいて、前記ユーザ機器に適する好ましい間欠受信状態を決定し、ユーザ機器の間欠受信状態を変更する必要があると決定した場合、前記ユーザ機器の好ましい間欠受信状態を指示する情報が含まれている測定配置情報を、前記ユーザ機器へ送信するステップと、前記ユーザ機器が、受信された前記測定配置情報に応答してチャネルを測定し、前記基地局へ測定報告を送信した後、指示情報で指示されたモードに基づいて、自局の間欠受信状態を変更するステップと、を含む。
【００２９】
本発明の他の１つの態様によれば、ユーザ機器の間欠受信状態の変更を動的に指示する装置が提供されている。当該装置は、基地局側に配置されているものと、ユーザ機器側に配置されているものとを含み、基地局側において、所定の間欠受信状態決定モードに従って、ユーザ機器のあるべき好ましい間欠受信状態を決定する間欠受信状態判定手段と、ユーザ機器のあるべき好ましい間欠受信状態を、第１送受信手段を介して、ユーザ機器側に送信する間欠受信状態指示手段と、相応のユーザ機器に対応する情報を格納する間欠受信状態レジスタと、ユーザ機器側へ情報を送信し、ユーザ機器側から情報を受信する第１送受信手段とが配置されており、ユーザ機器側において、第２送受信手段から受信された情報に、前記ユーザ機器の好ましい間欠受信状態を指示する情報が含まれているか否かを検出する間欠受信状態指示検出手段と、前記ユーザ機器の好ましい間欠受信状態を指示する情報に基づいて、前記ユーザ機器の間欠受信状態を更新する間欠受信状態更新手段と、基地局側へ情報を送信し、基地局側から情報を受信する第２送受信手段とが配置されている。
【００３０】
本発明の他の１つの態様によれば、ユーザ機器の間欠受信状態の変更を動的に指示する方法が提供されている。当該方法は、基地局が、所定状況に基づいて、ユーザ機器に対し測定報告にて前記ユーザ機器の好ましい間欠受信状態を指示するよう命令する情報が含まれている測定配置情報を、前記ユーザ機器へ送信するステップと、前記ユーザ機器が、受信された前記測定配置情報に応答してチャネルを測定し、所定条件に基づいて、自局の採用すべき好ましい間欠受信状態を決定し、前記ユーザ機器の好ましい間欠受信状態を指示する情報が含まれている測定報告を前記基地局へ送信し、前記好ましい間欠受信状態に更新するステップと、前記基地局が、受信された前記好ましい間欠受信状態を指示する情報に基づいて、前記間欠受信状態レジスタに格納されている前記ユーザ機器に関する間欠受信状態の記録を更新するステップと、を含む。
【００３１】
本発明の他の１つの態様によれば、ユーザ機器の間欠受信状態の変更を動的に指示する装置が提供されている。当該装置は、基地局側に配置されているものと、ユーザ機器側に配置されているものとを含み、基地局側において、ユーザ機器に対し、前記ユーザ機器に関する好ましい間欠受信状態の情報を報告するよう通知する間欠受信状態指示通知手段と、前記ユーザ機器から受信された前記好ましい間欠受信状態の情報に基づいて、間欠受信状態レジスタに格納されている前記ユーザ機器の間欠受信状態の情報を更新する間欠受信状態更新手段と、相応のユーザ機器に対応する情報を格納する間欠受信状態レジスタと、ユーザ機器側へ情報を送信し、ユーザ機器側から情報を受信する第１送受信手段とが配置されており、ユーザ機器側において、間欠受信状態決定モードに従って、前記ユーザ機器のあるべき好ましい間欠受信状態を決定し、決定結果に基づいて、前記ユーザ機器の間欠受信状態を調整する間欠受信状態判定調整手段と、第２送受信手段を介して、前記ユーザ機器の前記好ましい間欠受信状態を前記基地局に送信する間欠受信状態指示手段と、基地局側へ情報を送信し、基地局側から情報を受信する第２送受信手段とが配置されている。
【００３２】
本発明の他の１つの態様によれば、ユーザ機器の間欠受信状態の変更を動的に指示する方法が提供されている。当該方法は、基地局が、所定状況に基づいて、ユーザ機器へ測定配置情報を送信するステップと、前記ユーザ機器が、受信された前記測定配置情報に応答してチャネルを測定し、前記基地局へ測定結果を送信し、測定結果、および、前記基地局とユーザ機器側にそれぞれ予め格納された、互いに合致する間欠受信状態決定モードに基づいて、前記ユーザ機器のあるべき好ましい間欠受信状態を決定するステップと、前記基地局が、受信された前記測定結果、および予め格納された前記間欠受信状態決定モードに基づいて、前記ユーザ機器の現在の間欠受信状態を決定し、前記ユーザ機器の現在の間欠受信状態で、間欠受信状態レジスタに格納されている前記ユーザ機器に関する間欠受信状態の情報を更新するステップと、を含む。
【００３３】
本発明の他の１つの態様によれば、ユーザ機器の間欠受信状態の変更を動的に指示する装置が提供されている。当該装置は、基地局側に配置されているものと、ユーザ機器側に配置されているものとを含み、基地局側において、第１送受信手段を介して、ユーザ機器から送信された情報を受信し、前記基地局とユーザ機器側にそれぞれ予め格納された、互いに合致する間欠受信状態決定モードに基づいて、前記ユーザ機器のあるべき好ましい間欠受信状態を決定し、当該決定結果を間欠受信状態レジスタの前記ユーザ機器に対応する情報に格納する間欠受信状態判定手段と、相応のユーザ機器に対応する情報を格納する間欠受信状態レジスタと、ユーザ機器側へ情報を送信し、ユーザ機器側から情報を受信する第１送受信手段とが配置されており、ユーザ機器側において、測定結果、および、前記基地局とユーザ機器側にそれぞれ予め格納された、互いに合致する間欠受信状態決定モードに基づいて、前記ユーザ機器のあるべき好ましい間欠受信状態を決定し、第２送受信手段を介して、前記基地局へ測定報告を送信する間欠受信状態判定調整手段と、基地局側へ情報を送信し、基地局側から情報を受信する第２送受信手段とが配置されている。
【発明の効果】
【００３４】
本発明の方法によれば、ユーザ機器の間欠受信状態の変更を動的に指示することができる。当該方法では、測定イベントタイプや、リンク品質、サービスタイプなどを、ユーザのＤＲＸ状態を動的に調整する根拠とし、ユーザのサービス品質を確保する前提で、無駄なチャネル監視時間を減少させる。これにより、ハンドオーバー遅延時間性能が改善され、ユーザ機器のエネルギー消費が減少し、サービス時間および待機時間が効果的に延長される。
【図面の簡単な説明】
【００３５】
【図１】ＵＥの間欠受信モードでの処理フローを示す図である。
【図２】ＵＥが間欠受信モードにある場合、セル間ハンドオーバーへの悪影響を生じさせることを示す図である。
【図３】本発明の第１実施例により、ｅＮＢとＵＥの間でＵＥのＤＲＸ状態の変更を動的に指示することを実現する配置ブロック図である。
【図４ａ】１ビットを実例として、ユーザ機器のＤＲＸ状態を指示する指示情報を説明するための図である。
【図４ｂ】２ビットを実例として、ユーザ機器のＤＲＸ状態を指示する指示情報を説明するための図である。
【図５】本発明の第１実施例により、ｅＮＢがＵＥに対しその間欠受信状態を動的に変更するよう指示する処理フローを示す図である。
【図６】本発明の第２実施例により、ｅＮＢとＵＥの間でＵＥのＤＲＸ状態の変更を動的に指示することを実現する配置ブロック図である。
【図７】本発明の第２実施例により、ＵＥがｅＮＢに対しＵＥの間欠受信状態を動的に変更する旨を通知する処理フローを示す図である。
【図８】本発明の第３実施例により、ｅＮＢとＵＥの間でＵＥのＤＲＸ状態の変更を動的に指示することを実現する配置ブロック図である。
【図９】本発明によるＤＲＸ状態決定モードの実例を示す図である。
【図１０】本発明の第３実施例により、ユーザ機器とネットワーク側に同じＤＲＸ状態決定モードを予め設定することでユーザ機器のＤＲＸ状態を動的に調整する処理フローを示す図である。
【図１１】本発明によるＤＲＸ状態決定モードの他の実例を示す図である。
【発明を実施するための形態】
【００３６】
以下、図面を参照して本発明の実施例について詳細に説明するが、本発明に対する理解の混淆を防止するように、本発明にとっては不要な細部および機能について説明を省略する。
【００３７】
以下、図面を参照して、本発明によりユーザ機器の間欠受信状態の変更を動的に指示する方法およびその装置の好ましい実施例について説明する。
【００３８】
（第１実施例）
図３は、本発明の第１実施例により、ｅＮＢとＵＥの間でＵＥのＤＲＸ状態の変更を動的に指示することを実現する配置ブロック図である。ｅＮＢとＵＥの間でＵＥのＤＲＸ状態の変更を動的に指示する目的を実現するために、第１実施例によると、図３に示すように、ネットワーク側（ｅＮＢ：基地局）には、間欠受信（ＤＲＸ）状態判定手段３１、ＤＲＸ状態指示手段３２、ＤＲＸ状態レジスタ３３、および送受信手段３４が配置されており、ユーザ機器（ＵＥ）側には、送受信手段３５、ＤＲＸ状態指示検出手段３６、およびＤＲＸ状態更新手段３７が配置されている。
【００３９】
ｅＮＢ側において、ＤＲＸ状態判定手段３１は、所定のＤＲＸ状態決定モードに従って、ＵＥのあるべき好ましいＤＲＸ状態を判断して、当該判断結果をＤＲＸ状態レジスタ３３の当該ＵＥに対応する情報に格納する。ここで、ＤＲＸ状態決定モードは、図９および図１１（詳細は後述）により提供される決定モードであってよい。しかし、本発明はこれに限定されるものでなく、通信過程における他の所定条件によりＵＥのあるべき好ましいＤＲＸ状態を判断するようにしてもよい。なお、ＤＲＸ状態判定手段３１はまた、当該判断結果を、ＤＲＸ状態指示手段３２に提供して、送受信手段３４を介してＵＥに送信する。
【００４０】
代わるものとして、ＤＲＸ状態判定手段３１は、ＵＥのあるべき状態に対する判断結果を、ＤＲＸ状態レジスタ３３に格納されているＵＥのＤＲＸ状態と比較するようにしてもよい。当該判断結果が、ＤＲＸ状態レジスタ３３に格納されている情報と一致しない場合、ＤＲＸ状態レジスタ３３を更新する。なお、ＤＲＸ状態判定手段３１はまた、当該判断結果を、ＤＲＸ状態指示手段３２に提供して、送受信手段３４を介してＵＥに送信する。ＤＲＸ状態レジスタ３３は、当該ｅＮＢに接続されるすべてのＵＥの現在のＤＲＸ状態情報を格納および更新する。ＤＲＸ状態指示手段３２は、ＤＲＸ状態判定手段３１の指示に基づいて、ＵＥのあるべきＤＲＸ状態情報を、送受信手段３４を介してＵＥに送信する。代わるものとして、ＤＲＸ状態指示手段３２は、ＤＲＸ状態判定手段３１およびＤＲＸ状態レジスタ３３の指示に基づいて、ＤＲＸ状態レジスタ３３の情報を更新する必要がある場合、ＵＥのあるべきＤＲＸ状態情報を、送受信手段３４を介してＵＥに送信するようにしてもよい。実例として、ＵＥのあるべきＤＲＸ状態のＤＲＸ状態情報を測定配置情報に含めてＵＥに伝送するようにしてもよい。しかし、本発明はこれに限定されるものでなく、関連するＤＲＸ状態情報を、ＵＥへ伝送しようとする他の情報に含めて、相応の情報と一緒にＵＥに伝送するようにしてもよい。送受信手段３４は、無線インタフェースからの情報を送信および受信する。
【００４１】
ＵＥ側において、送受信手段３５は、ｅＮＢから伝送された測定配置情報などのような、ＤＲＸ状態指示が付けられている情報を受信し、当該情報を復号化してからＤＲＸ状態指示検出手段３６に提供する。ＤＲＸ状態指示検出手段３６は、送受信手段３５から受信された情報にＤＲＸ状態指示の情報が含まれているか否かを検出し、ＤＲＸ状態指示情報を検出した場合、当該ＤＲＸ状態指示情報をＤＲＸ状態更新手段３７に提供する。ＤＲＸ状態更新手段３７は、ＤＲＸ状態指示検出手段３６からの情報を受信し、当該情報に基づいてＵＥのＤＲＸ状態を更新する。送受信手段３５は、無線インタフェースからの情報を送信および受信する。
【００４２】
本実施例において、ソースｅＮＢにより、ＵＥに適する間欠受信状態を判断して決定し、ＵＥのＤＲＸ状態を変更する必要がある場合、ＤＲＸ状態指示情報を送信する。ＵＥのＤＲＸ状態を指示する情報は、測定配置情報などのような、ＵＥへ送信しようとする情報に含まれるようにしてもよい。ここで、ｎビットでＵＥの２ｎ個の異なる好ましい間欠受信状態を表すことができる。表したいＤＲＸ状態が多いほど、所要のビット数が多い。つまり、制御の精度が高いほど、制御によるシステムオーバヘッドが大きい。実例として、好ましいＤＲＸ状態は、ＤＲＸ状態、連続受信状態、長いＤＲＸ周期、および短いＤＲＸ周期などを含むようにしてもよい。
【００４３】
図４ａと図４ｂはそれぞれ、１ビットと２ビットを実例として、ユーザ機器のＤＲＸ状態を指示する指示情報を説明するための図である。図４ａは、１ビットでユーザ機器のＤＲＸ状態を表す指示情報を示す図である。図４ｂは、２ビットでユーザ機器のＤＲＸ状態を表す指示情報を示す図である。１ビットでユーザ機器のＤＲＸ状態を指示する場合において、図４ａに示すように、例えば、ビット“０”を、ＵＥが間欠受信を行うべき旨の指示情報とし、ビット“１”を、ＵＥが連続受信を行うべき（つまり、チャネルを継続的に監視して、データを受信すべき）旨の指示情報とするようにしてもよい。説明すべきものとして、本発明はこれに限定されるものでなく、ビット“０”を、ＵＥが連続受信を行うべき旨の指示情報とし、ビット“１”を、ＵＥが間欠受信を行うべき旨の指示情報とするようにしてもよく、または、本発明の本質を逸脱しない限り、他の表現方式を採用してもよい。
【００４４】
図４ｂは、２ビットでＵＥの４種のＤＲＸ状態を表す指示情報を示す図である。一般に、無線通信システムにおいて２種のＤＲＸ周期を定義することができる。ユーザは、ネットワークの配置情報を受信することにより、どのような周期を採用して間欠受信を行うかを決定する。例えば、ビット“００”を、ＵＥに対し長いＤＲＸ周期を採用すべき旨を指示する指示情報とし、ビット“０１”を、ＵＥに対し短いＤＲＸ周期を採用するよう指示する指示情報とし、ビット“１０”を、ＵＥに対しチャネルを継続的に監視すべき旨を指示する指示情報とし、ビット“１１”を予約して他の定義に用いるようにしてもよい。
【００４５】
図５は、ｅＮＢがＵＥに対しその間欠受信状態を動的に変更するよう指示する処理フローを示す図である。本実施例では、１ビットの情報を用いてＵＥのＤＲＸ状態を指示する場合について説明している。説明すべきものとして、本発明はこれに限定されるものでなく、２ビットまたは他の方式の情報を用いてＵＥのＤＲＸ状態を指示するようにしてもよい。図５に示すように、ステップＳ５０１において、ソースｅＮＢは、ＵＥに適する間欠受信状態を判断して決定し、ＵＥのＤＲＸ状態を変更する必要がある場合、ＵＥへ測定配置情報を送信する（ステップＳ５０２）。当該測定配置（ＭＣ）情報には、ユーザの間欠受信状態を指示するための情報が付けられている。
【００４６】
ＵＥは、当該ＵＥのＤＲＸ状態を指示する指示情報が付けられているＭＣを受信した後、指示情報で指示される結果に基づいて、自局の間欠受信状態を調整する。図５のステップＳ５０２に示すように、ＵＥは、“０”であるＤＲＸ状態を指示する指示情報を受信したと仮定してもよい。例えば、ソースｅＮＢは、現在サービングセルのリンク品質がある閾値より高いことを検出した場合、ＵＥが間欠受信を行うべきと判断した。ステップＳ５０３において、ＵＥは、ｅＮＢから送信された測定配置情報およびＤＲＸ状態の指示情報に応答するためにｅＮＢに測定報告を送信した後、間欠受信を開始する。ソースｅＮＢは、ＵＥからの測定報告を受信した後、当該ＵＥが他のｅＮＢへハンドオーバーする必要があるか否かを判断する（ステップＳ５０４）。ソースｅＮＢは、当該ＵＥが他のｅＮＢへハンドオーバーする必要がないと判断した場合、如何なる処理も行わない。
【００４７】
これに類似し、ステップＳ５０５において、ソースｅＮＢは、当該ＵＥのＤＲＸ状態を変更する必要があると判断して決定した場合、例えば、現在サービングセルのリンク品質がある閾値より低いことを検出した場合、ＤＲＸ状態が“１”である旨を指示する指示情報が付けられている測定配置情報を当該ＵＥへ送信する（ステップＳ５０６）。ＵＥは、当該ＭＣを受信した後、ＭＣ中の測定配置情報に基づいてチャネルの測定を開始し、ソースｅＮＢに測定報告（ＭＲ）を送信する（ステップＳ５０７）。ＵＥは、ＭＲを送信した後、指示情報が“１”である指示に基づいて、その状態を連続受信に変更し、チャネルの継続的な監視を開始する。ソースｅＮＢから送信された測定配置メッセージにて、ＵＥが一定時間内で周期的に測定報告を送信することが指示された場合、ＵＥは、受信された測定配置メッセージに従って、周期的にソースｅＮＢへＭＲを送信する（ステップＳ５０７、Ｓ５０９、Ｓ５１１）。ソースｅＮＢは、各ＭＲを受信した後、ＵＥがハンドオーバー条件を満たしたか否かを判断し（ステップＳ５０８、Ｓ５１０、Ｓ５１２）、この一定時間全体にわたってハンドオーバー条件を満たした場合、ターゲットｅＮＢへハンドオーバー要求を送信する（ステップＳ５１３）。その後、ターゲットｅＮＢは、アクセス制御を行い（ステップＳ５１４）、当該ハンドオーバー要求を受け付けられるとき、ソースｅＮＢへハンドオーバー要求応答を送信する（ステップＳ５１５）。ＵＥは、ステップＳ５０６で、ソースｅＮＢから送信された、連続受信状態に入るよう指示するＤＲＸ状態指示情報を受信したので、ソースｅＮＢは、すぐに当該ＵＥへハンドオーバー命令を送信することができる（ステップＳ５１６）。これにより、ＵＥのハンドオーバー遅延が回避されている。
【００４８】
なお、ソースｅＮＢは、ユーザ機器の測定報告送信をトリガーするイベントタイプ、受信された測定結果、または進行中のサービスタイプに基づいて、前記ユーザ機器の間欠受信状態の変更を指示するようにしてもよい。実例として、ＤＲＸ決定モード（図９および図１１のように、詳細は後述）に基づいて、ユーザ機器のＤＲＸ状態を指示するようにしてもよい。
【００４９】
（第２実施例）
図６は、本発明の第２実施例により、ｅＮＢとＵＥの間でＵＥのＤＲＸ状態の変更を動的に指示することを実現する配置ブロック図である。以下、図６を参照して、本発明によりｅＮＢとＵＥの間でＵＥのＤＲＸ状態の変更を動的に指示することを実現する配置の第２実施例について説明する。
【００５０】
第２実施例によると、図６に示すように、ネットワーク側（ｅＮＢ：基地局）には、ＤＲＸ状態指示通知手段６１、ＤＲＸ状態更新手段６２、ＤＲＸ状態レジスタ６３、および送受信手段６４が配置されており、ユーザ機器（ＵＥ）側には、送受信手段６５、ＤＲＸ状態判定調整手段６６、およびＤＲＸ状態指示手段６７が配置されている。
【００５１】
ｅＮＢ側において、ＲＸ状態指示通知手段６１は、ネットワークの所定状況に基づいて、ＵＥに対し、そのＤＲＸ状態に関する情報を報告するよう通知することができる。実例として、当該通知情報を測定配置情報に含めて、測定配置情報と一緒に送受信手段６４を介してＵＥに送信するようにしてもよい。しかし、第１実施例に述べたように、本発明はこれに限定されるものでなく、関連する通知情報を、ＵＥへ伝送しようとする他の情報に含めて、相応の情報と一緒にＵＥに伝送するようにしてもよい。ＤＲＸ状態更新手段６２は、送受信手段６４を介してＵＥから受信されたＤＲＸ状態指示情報を受信し、受信された指示情報をＤＲＸ状態レジスタ６３に格納する。代わるものとして、ＤＲＸ状態更新手段６２は、受信された指示情報と、ＤＲＸ状態レジスタ６３に格納されている当該ＵＥのＤＲＸ状態の情報とが一致しない場合、受信された指示情報で、ＤＲＸ状態レジスタ６３に格納されている当該ＵＥのＤＲＸ状態の情報を更新するようにしてもよい。
【００５２】
ＵＥ側において、ＤＲＸ状態判定調整手段６６は、ＤＲＸ状態決定モードに従って、当該ＵＥのあるべきＤＲＸ状態を判断し、判断結果に基づいて自局のＤＲＸ状態を調整し、判断結果を、ＤＲＸ状態指示手段６７に提供して、送受信手段６５を介してｅＮＢに送信する。ここで、ＤＲＸ状態決定モードは、図９および図１１（詳細は後述）により提供される決定モードであってよい。しかし、本発明はこれに限定されるものでなく、通信過程における他の所定条件に基づいて、ＵＥのあるべき好ましいＤＲＸ状態を判断するようにしてもよい。
【００５３】
代わるものとして、ＤＲＸ状態判定調整手段６６は、当該ＵＥのあるべきＤＲＸ状態の判断結果とＵＥの現在のＤＲＸ状態とが一致しないと判断した場合、ＵＥを調整して自局のＤＲＸ状態を変更し、判断結果をＤＲＸ状態指示手段６７に提供する。ＤＲＸ状態指示手段６７は、ＤＲＸ状態判定調整手段６６の指示に基づいて、ＵＥのあるべきＤＲＸ状態の情報を、送受信手段６５を介してｅＮＢに送信する。当該情報は、測定報告情報などのような、ｅＮＢへ送信しようとする情報に含まれてｅＮＢへ送信されるようにしてもよい。
【００５４】
図７は、本発明の第２実施例により、ＵＥがｅＮＢに対しＵＥの間欠受信状態を動的に変更する旨を通知する処理フローを示す図である。本実施例において、２ビットの指示情報を例としてＵＥのＤＲＸ状態を指示する。図７において、ステップＳ７０１〜Ｓ７０３は、図２のステップＳ２０１〜Ｓ２０３と類似しており、通常の測定過程である。ＵＥは、ステップＳ７０１において、ソースｅＮＢからの測定配置情報を受信し、ステップＳ７０２において、当該情報に基づいてチャネルを測定して、ソースｅＮＢへ測定報告を送信する。ステップＳ７０３において、ソースｅＮＢは、当該測定報告に基づいて、ＵＥが隣接セルへハンドオーバーする必要があるか否かを判断する。
【００５５】
その後、ステップＳ７０４において、ソースｅＮＢは、ネットワークの所定状況に基づいて、更新された測定配置情報をユーザへ送信することができる。当該測定配置（ＭＣ）情報には、その後の測定報告にてそのＤＲＸ状態を指示するようＵＥへ要求する旨の情報が含まれている。ＵＥは、当該ＭＣを受信した後、ＤＲＸ状態決定モードに従って、自局の採用すべきＤＲＸ状態を判断して決定することができる。例えば、ＵＥは、現在セルのリンク品質がある閾値に低下していることを検出して、チャネルを継続的に監視することを決定し、そして、ソースｅＮＢへ送信される測定報告に、当該ＤＲＸ状態を指示する情報（図４ｂに“１０”と示されている）を含ませる（ステップＳ７０５）。ソースｅＮＢは、当該ＭＲを受信したとき、その中に含まれている、ＵＥのＤＲＸ状態を指示する情報を検出する。ここで、ソースｅＮＢは、ＵＥから送信された、当該ＤＲＸ状態を指示する情報が“１０”であることを検出して、ＵＥがチャネルを継続的に監視することを了解する。そして、ソースｅＮＢは、当該ＤＲＸ状態の指示情報に基づいて、ソースｅＮＢに含まれているＤＲＸ状態レジスタ６３に格納されている、当該ＵＥに関するＤＲＸ状態の記録を更新する（ステップＳ７０６）。その後、ソースｅＮＢは、受信されたＭＲに基づいて、ＵＥが隣接セルへハンドオーバーする必要があるか否かを判断する（ステップＳ７０７）。
【００５６】
これに類似し、ＵＥは、その後の測定過程において、自局が短いＤＲＸ周期を採用すべきか否かを判断して決定する。例えば、リンク品質の向上を検出した場合、短いＤＲＸ周期を採用すべきと決定する。そして、ＵＥは、測定報告にてＤＲＸ状態が“０１”である旨を指示し（ステップＳ７０８、Ｓ７１１）、短いＤＲＸ周期を採用した間欠受信を始める。ソースｅＮＢは、ＤＲＸ状態レジスタ６３に現在記録されているＵＥのＤＲＸ状態が、ＵＥから受信されたＭＲに含まれている情報により指示されたＵＥのＤＲＸ状態と一致しないことを検出した場合、ＵＥから受信された、ＵＥのＤＲＸ状態を指示する情報で、ＤＲＸ状態レジスタ６３における記録を更新し（ステップＳ７０９、Ｓ７１２）、ＵＥが隣接セルへハンドオーバーする必要があるか否かを判断する（ステップＳ７１０、Ｓ７１３）。
【００５７】
ここで、実例として、ＵＥのＤＲＸ状態を指示する情報は、ソースｅＮＢへ送信する各ＭＲに付けられてよい。ＵＥのＤＲＸ状態を変更する必要がある場合のみに、ソースｅＮＢへ送信するＭＲに、ＵＥのＤＲＸ状態を指示する情報を付けるようにしてもよい。図７に示す実例では、各ＭＲにも、ＵＥのＤＲＸ状態を指示する情報が付けられている。ＵＥのＤＲＸ状態を変更する必要がある場合のみに、ソースｅＮＢへ送信するＭＲに、ＵＥのＤＲＸ状態を指示する情報を付けるのであれば、ステップＳ７１１とステップＳ７０８により指示されるＵＥのＤＲＸ状態が同じであるため、ステップＳ７１１のＭＲにはユーザのＤＲＸ状態の再指示が不要になり、オーバヘッドが節減される。
【００５８】
（第３実施例）
図８は、本発明の第３実施例により、ｅＮＢとＵＥの間でＵＥのＤＲＸ状態の変更を動的に指示することを実現する配置ブロック図である。以下、図８を参照して、本発明により、ｅＮＢとＵＥの間でＵＥのＤＲＸ状態の変更を動的に指示することを実現する配置の第３実施例について説明する。
【００５９】
第３実施例によると、図８に示すように、ネットワーク側（ｅＮＢ：基地局）には、ＤＲＸ状態判定手段８１、ＤＲＸ状態レジスタ８２、および送受信手段８３が配置されており、ユーザ機器（ＵＥ）側には、送受信手段８４、およびＤＲＸ状態判定調整手段８５が配置されている。
【００６０】
ｅＮＢ側において、ｅＮＢは、ネットワークの所定状況に基づいて、ユーザ機器へ測定配置情報を送信することができる。ユーザ機器は、当該測定配置情報に応答してチャネルを測定する。ｅＮＢ側のＤＲＸ状態決定手段８１は、ＵＥ側の送受信手段８４から送信されたＵＥの情報（例えば、測定情報）を受信し、ＤＲＸ状態決定モードに従って、当該ＵＥのあるべきＤＲＸ状態を判断し、当該判断結果を、ＤＲＸ状態レジスタ８２の当該ＵＥに対応する情報に格納する。上記の第１実施例および第２実施例に説明したように、ＤＲＸ状態決定モードは、図９および図１１（詳細は後述）により提供される決定モードであってよい。しかし、本発明はこれに限定されるものでなく、通信過程における他の所定条件に基づいて、ＵＥのあるべき好ましいＤＲＸ状態を判断するようにしてもよい。ＵＥ側において、ＤＲＸ状態判定調整手段８５は、ｅＮＢ側のＤＲＸ状態判定手段８１と同じであるＤＲＸ状態決定モードに従って、当該ＵＥ自身のあるべきＤＲＸ状態を判断し、ＵＥが送受信手段８４を介してソースｅＮＢ側へ測定報告情報を送信した後、判断結果に基づいて当該ＵＥ自身のＤＲＸ状態を調整する。ｅＮＢのＤＲＸ状態判定手段８１は、ＵＥからの測定報告情報を受信した後、当該ＵＥのＤＲＸ状態を判断し、判断結果で、ＤＲＸ状態レジスタ８２の当該ＵＥに関するＤＲＸ状態を更新する。
【００６１】
余計なオーバヘッドを減少させるために、第３実施例では、指示情報の方式を採用せず、ＵＥとｅＮＢにおいて測定報告をマッチングする方式によって、ＵＥのあるべきＤＲＸ状態を決定することができる。これにより、ＤＲＸ状態を指示するための情報による定額以外のオーバヘッドを減少させる。このように、第３実施例では、ＵＥとネットワーク側に同じＤＲＸ状態決定モードを予め設定し、つまり所定条件を設定する必要がある。当該所定条件を満たした場合に、その対応するＤＲＸ状態を選択する。
【００６２】
図９はＤＲＸ状態決定モードの実例を示す。当該モードによると、ＵＥにより検出された現在サービングセルのリンク品質ＲＳＲＰに基づいて、またはサービスタイプも考慮して、当該ＵＥのあるべきＤＲＸ状態を決定する。例えば、ＵＥは、現在サービングセルのＲＳＲＰが所定閾値Ｎ１より大きいことを検出した場合、当該ＵＥが長い周期のＤＲＸ状態にあるべきと判断する。ＵＥは、現在サービングセルのＲＳＲＰが所定閾値Ｎ２より小さく且つ他の所定閾値Ｎ３より大きいことを検出した場合、当該ＵＥが短い周期のＤＲＸ状態にあるべきと判断する。ＵＥは、現在サービングセルのＲＳＲＰが所定閾値Ｎ３より小さいことを検出した場合、当該ＵＥがチャネルを継続的に監視すべきと判断する。ここで、Ｎ１＞Ｎ２≧Ｎ３である。
【００６３】
また、異なるサービスタイプによって、ＤＲＸ状態決定モードの異なるパラメータを設定するようにしてもよい。例えば、音声サービスの場合、Ｎ２＝Ｎ３と設定してよい。このように、ＵＥは、一旦リンク品質の低下でハンドオーバーが発生する可能性があると検出したら、チャネルの継続的な監視を開始することにより、ハンドオーバーの適時性を確保する。また、遅延時間特性に敏感でない非リアルタイムサービスの場合、Ｎ３を小さい値に設定してよい。このように、ユーザは、リンク品質の低下でハンドオーバーが発生する可能性があると検出したとき、ＵＥが短いＤＲＸ周期にあるようにし、チャネルを継続的に監視する必要がない。そこで、ＵＥは、その測定結果およびＤＲＸ状態決定モードに基づいて、自局のあるべきＤＲＸ状態を判断することができ、当該判断結果が自局の現在のＤＲＸ状態と一致しない場合、ｅＮＢへ測定報告を送信した後、自局のＤＲＸ状態を、最新に判断されたＤＲＸ状態に変更する。
【００６４】
図１０は、本発明の第３実施例により、ユーザ機器とネットワーク側に同じＤＲＸ状態決定モードを予め設定することで、ユーザ機器のＤＲＸ状態を動的に調整する処理フローを示す図である。図１０に示す方法において、ステップＳ１００１〜Ｓ１００３は、図２のステップＳ２０１〜Ｓ２０３と類似しており、通常の測定過程である。ＵＥは、ステップＳ１００１において、ソースｅＮＢからの測定配置情報を受信し、ステップＳ１００２において、当該情報に基づいてチャネルを測定して、測定結果に基づいて自局のあるべきＤＲＸ状態を判断し、その後ソースｅＮＢへ測定報告を送信する。ステップＳ１００３において、ソースｅＮＢは、当該測定報告に基づいて、ＵＥが隣接セルへハンドオーバーする必要があるか否かを判断する。
【００６５】
その後、ＵＥは、ソースｅＮＢからの測定配置情報を受信した（ステップＳ１００４）後、チャネルを測定し、ソースｅＮＢへ測定報告（ＭＲ）を送信し、測定結果に基づいて、自局のあるべきＤＲＸ状態を判断する。当該判断は、ＵＥ側に予め設定されたＤＲＸ状態決定モードとマッチングすることにより実現される（ステップＳ１００５）。ソースｅＮＢは、ＵＥから送信されたＭＲを受信した後、当該ＭＲの結果に基づいて、ネットワーク側に予め設定されたＤＲＸ状態決定モードをマッチングすることにより、ＵＥの現在のＤＲＸ状態を判断する（ステップＳ１００７）。ソースｅＮＢ側のＤＲＸ状態決定モードは、ユーザ側のＤＲＸ状態決定モードと一致すべきである。例えば、両方とも、図９に示す決定モードを採用してよい。ＵＥは、ＭＲを送信した後、測定情報に基づいて、自局のＤＲＸ状態を判断して更新したので、ソースｅＮＢは、同じ測定情報が含まれているＭＲを受信した後、同様なＤＲＸ状態決定モードを利用して当該ＵＥの現在のＤＲＸ状態を知ることができ、取得されたＵＥの現在のＤＲＸ状態で、ＤＲＸ状態レジスタ８２に格納されている当該ＵＥに関するＤＲＸ状態の情報を更新する（ステップＳ１００７）。その後、ソースｅＮＢは、ＵＥが隣接セルへハンドオーバーする必要があるか否かを判断する（ステップＳ１００８）。これに類似し、ユーザは、ＭＲを送信する前に、自局のあるべきＤＲＸ状態を判断し（ステップＳ１００９、Ｓ１０１３）、ソースｅＮＢは、受信されたＭＲに基づいて、ＵＥの現在のＤＲＸ状態を判断して更新する（ステップＳ１０１１、Ｓ１０１５）。他の処理は従来方法と同じである。
【００６６】
本実施例に係る方法において、測定配置または測定報告に如何なる情報も追加せず、ユーザとネットワーク側に同じＤＲＸ状態決定モードを予め設定するだけで、ＤＲＸ状態の動的な調整を実現する目的を達することができる。これにより、シグナリングのオーバヘッドが節減されている。
【００６７】
図１１は、ＤＲＸ状態決定モードに用いられる他の実例を示す。図１１に示す実例において、測定報告をトリガーするイベントタイプに基づいて、ＵＥのあるべきＤＲＸ状態を判断する。図９および図１１のＤＲＸ状態決定モードは、ｅＮＢのＤＲＸ状態判定手段３１、８１、および／または、ＵＥのＤＲＸ状態判定調整手段６６、８５で使用されることができる。
【００６８】
図１１に示す実例において、周波数内測定のトリガーイベントを例として、イベントタイプを根拠とするＤＲＸ状態決定モードが提供されている。ここのイベントタイプは、背景技術に説明された測定トリガーイベントと一致している。そのうち、Ｐｓは現在サービングセルのリンク品質を表し、Ｐｉｎｔｒａ＿ｆは隣接同周波数セルのリンク品質を表し、Ｏｆｆｓｅｔはオフセットを表す。イベント１が測定報告をトリガーすると、ＵＥのハンドオーバー発生の確率が小さいので、ＵＥが長いＤＲＸ周期にあるようにすることができる。イベント２とイベント３においては、ＵＥがハンドオーバーする可能性があるため、ＵＥがチャネルを継続的に監視しまたは短いＤＲＸ周期に入るようにする必要がある。ここで、サービスタイプによって選択してもよい。例えば、音声サービスの場合、チャネルを継続的に監視し、非リアルタイムサービスの場合、短いＤＲＸ周期を採用する。なお、ハンドオーバーとは関係がない、つまり絶対ハンドオーバー過程をトリガーすることにならない測定報告（例えば、ヒステリシス時間内の測定報告、または、負荷分散や輻輳制御などを目的とする測定報告など）に対しては、ＵＥが長いＤＲＸ周期にあり、またはそのＤＲＸ状態を変更しないようにすることができる。要するに、ＤＲＸ状態決定モードは、ＵＥのハンドオーバー発生の可能性の大きさやサービスタイプなどにより、ＵＥの現在のあるべきＤＲＸ状態を決定するものであるが、ＵＥのハンドオーバー発生の可能性の大きさは、測定報告のイベントタイプやリンク品質などにより判断されることができる。
【００６９】
本発明によると、ネットワークがＵＥの間欠受信状態の動的な変更を了解することができる。第１実施例に係る方法では、ネットワーク側からユーザへＤＲＸ状態を指示するため、ネットワークがＵＥを制御しやすい。第２実施例に係る方法では、ＵＥからネットワーク側へそのＤＲＸ状態の変更を通知するため、ＵＥのＤＲＸ状態が柔軟に調整できる。上記２つの方法はすべてが、ＤＲＸ状態情報を従来システムの既存の情報に付けることにより実現されることができる。第３実施例に係る方法では、ユーザとネットワークとの間でＤＲＸ状態に関する情報を遣り取りする必要がなく、ＤＲＸ状態情報の伝送によるシステムオーバヘッドをなくした。
【００７０】
以上に、好ましい実施例を参照しながら本発明について説明した。本発明の精神と範囲を逸脱しない限り、種々の他の変更、置換え、および追加を行うことができるということは、当業者であれば理解すべきである。従って、本発明の範囲は、上記特定の実施例に限定されるものと理解されるべきではなく、添付の請求の範囲で限定されるべきである。
【符号の説明】
【００７１】
３１：ＤＲＸ状態判定手段
３２：ＤＲＸ状態指示手段
３３：ＤＲＸ状態レジスタ
３４：送受信手段
３５：送受信手段
３６：ＤＲＸ状態指示検出手段
３７：ＤＲＸ状態更新手段
６１：ＤＲＸ状態指示通知手段
６２：ＤＲＸ状態更新手段
６３：ＤＲＸ状態レジスタ
６４：送受信手段
６５：送受信手段
６６：ＤＲＸ状態判定調整手段
６７：ＤＲＸ状態指示手段
８１：ＤＲＸ状態判定手段
８２：ＤＲＸ状態レジスタ
８３：送受信手段
８４：送受信手段
８５：ＤＲＸ状態判定調整手段
【図１】
2010050969.tif 000003
【図２】
2010050969.tif 000004
【図３】
2010050969.tif 000005
【図４ａ】
2010050969.tif 000006
【図４ｂ】
2010050969.tif 000007
【図５】
2010050969.tif 000008
【図６】
2010050969.tif 000009
【図７】
2010050969.tif 000010
【図８】
2010050969.tif 000011
【図９】
2010050969.tif 000012
【図１０】
2010050969.tif 000013
【図１１】
2010050969.tif 000014